(57)【要約】【課題】    従来のロケットストーブは、種々の目的構造を異にする多数の出願があり、また市場に提案されている。その中で関連する発明は、蓋で開閉する開口と下部に設けた吸気口とでなる燃焼室に燃焼筒を垂下し、燃焼筒の下端開口と燃焼室の底面との間に隙間を形成する。隙間は燃焼ガスを燃焼筒に誘引し、燃焼筒で完全燃焼を図る。しかし、燃焼筒への誘引（煙突による誘引力）と燃焼筒内での燃焼のみでは高温燃焼（略完全燃焼）は図れない。【解決手段】    本発明は、燃焼器本体に第１吸気口と排気口とを備えた薪を燃焼する燃焼器具において、排気口に第３開口を形成し燃焼筒を付設し第３開口は燃焼器本体の底面より離間した吸込み口を備え、吸込み口より煙突の吸引力の働きで燃焼ガスを取込むとともに、上昇してこの燃焼筒の第４開口から吸込んだ高温でかつ軽くなった燃焼ガスとの混合燃焼による自然現象により二次燃焼（略完全燃焼）する燃焼器具。【選択図】      図１−１
2019039568.tif 000002
【特許請求の範囲】
【請求項１】
燃焼器本体の何れかの面において第２・第１開口となる第１吸気口と排気口とを備え、薪、廃材を燃焼する燃焼室を備えた燃焼器具において、
前記排気口の下側に、二次燃焼用の燃焼筒を付設し、この燃焼筒の下端と前記燃焼器本体の底面との間に第３開口を形成し、
前記燃焼筒には、前記燃焼室内に開口する第４開口を形成し、
前記燃焼器本体の底面の燃焼ガスは、前記第３開口から、前記燃焼筒内に取込まれ、その後、当該燃焼筒の上方に吸引された前記燃焼ガスと、この燃焼筒の第４開口から取込まれた高温の燃焼ガスとで二次燃焼を図ることを特徴とした燃焼器具。
【請求項２】
前記燃焼筒は、前記第１開口において回転可能であって、空気取込み量、及び／又は、高温の燃焼ガス取込み量の調整可能としたことを特徴とする請求項１に記載の燃焼器具。
【請求項３】
前記排気口に設けた燃焼筒の絞込み円筒部、又は燃焼筒に設けた煙突と、前記第１開口との間に、第５開口を形成することを特徴とした請求項１に記載の燃焼器具。
【請求項４】
前記何れかの面は、前記燃焼器本体の上面であって、この上面に前記第１吸気口を設けることを特徴とした請求項１に記載の燃焼器具。
【請求項５】
前記何れかの面は、前記燃焼器本体の壁面であって、この壁面の上部に第１吸気口を設けることを特徴とした請求項１に記載の燃焼器具。
【請求項６】
前記排気口に、前記煙突を取付けることを特徴とした請求項１に記載の燃焼器具。
【請求項７】
前記燃焼器本体は、密閉した容器であることを特徴とする請求項１に記載の燃焼器具。
【請求項８】
前記燃焼器本体は、一斗缶か、ペール缶、ドラム缶、構築物の缶、又は地中の穴を利用することを特徴とする請求項１に記載の燃焼器具。
【発明の詳細な説明】
【技術分野】
【０００１】
本発明は、薪、木材、間伐材等の廃材（廃棄木材）、又は草、生木とか、又はその乾燥状態に関わらず、未乾燥木材、未乾燥廃材等を、差別することなく、この種の燃料を、燃焼器具内において、略完全燃焼（完全燃焼とする）することができる燃焼器具に関する。
【背景技術】
【０００２】
本発明は、一般に云われている「ロケットストーブ」の改良形であって、目的は、燃焼材料を問わず燃焼できることと、小型の装置であっても、燃焼と、燃焼効率とが図れ、かつ持運び支障がない小型の燃焼器具を提案することである。
【０００３】
「ロケットストーブ（以下、燃焼器とする）」に関しては、種々の目的、構造を異にする多数の出願があり、また市場に提案されている。そして、本発明の目的と、構造とに関連するものは、特開２０１６−２０５７９５号公報に記載の発明がある（文献（１））。この発明は、蓋で開閉する開口と、下部に設けた吸気口とでなる燃焼室に、燃焼筒を垂下するとともに、燃焼筒の下端開口と、燃焼室の底面との間に、隙間を形成する構造であって、隙間を利用して、燃焼ガスを燃焼筒に誘引するとともに、この燃焼筒で完全燃焼を図る構成である。しかしながら、単なる誘引と、煙突による誘引力のみでは、燃焼筒での高温燃焼は図れず、かえって、不完全燃焼の要因となる恐れが考えられる。
【０００４】
【特許文献１】特開２０１６−２０５７９５号公報
【発明の概要】
【発明が解決しようとする課題】
【０００５】
前記文献（１）は、燃焼筒への燃焼ガスの誘引は、主として、隙間を利用する。また、燃焼筒における燃焼ガスの完全燃焼は、主として、煙突による誘引力と、吸気口から、新しい空気の取り入れとによって、完全燃焼を図る構造と考えられる。しかしながら、この構造では、十分とは考えられない。
【０００６】
上記に鑑み、本発明は、燃焼器本体の面において第２・第１開口となる第１吸気口と排気口とを備えた薪、廃材を燃焼する燃焼器具において、
排気口の下側に、二次燃焼用の燃焼筒を付設とするとともに、燃焼筒の下端に第３開口を形成し、第３開口は、燃焼器本体の底面より離間した吸込み口を形成し、吸込み口は、燃焼器具の燃焼室の一次燃焼で生成された燃焼ガスを取込み、取込まれた直近の燃焼ガスは、燃焼筒内を、煙突の吸引力で、スムースに上昇し、この直近の燃焼ガスと、燃焼筒に形成した第４開口から入る高温で、かつ軽く変換された上昇した高温の燃焼ガスとが、自然現象により、二次燃焼（完全燃焼）する燃焼器具であって、有用であることと、取扱いが容易な、燃焼器具である。室内使用に、最適な、燃焼器具である。
【課題を解決するための手段】
【０００７】
上記に鑑み、本発明は、請求項１〜６を提供することで、燃焼室内、及び／又は、燃焼筒内での炎、及び／又は、燃焼ガス、未燃焼ガス、又は排気等の流れを、スムースにしつつ、効率的な燃焼を図り、かつ違和感がなく、また、高温燃焼を介して、薪、廃材等の全てのものが燃焼できる燃焼機器の提供と、併せて、効率的な燃焼と、火力不足が少ない燃焼器具を提供する。
【発明の効果】
【０００８】
請求項１の発明は、燃焼器本体の面において第２・第１開口となる第１吸気口と排気口とを備え、薪、廃材を燃焼する燃焼室を備えた燃焼器具において、
排気口の下側に、二次燃焼用の燃焼筒を付設し、燃焼筒の下端と燃焼器本体の底面との間に第３開口を形成し、
燃焼筒には、燃焼室内に開口する第４開口を形成し、
燃焼器本体の底面の燃焼ガスは、第３開口から、燃焼筒内に取込まれ、その後、燃焼筒の上方に吸引された燃焼ガスと、燃焼筒の第４開口から取込まれた高温の燃焼ガス（燃焼ガスと合流した高温の燃焼ガス）とで二次燃焼を図ることを特徴とした燃焼器具であり、排気口の下側に、二次燃焼用の燃焼筒を付設とするとともに、燃焼筒の下端に第３開口を形成し、第３開口は、燃焼器本体の底面より離間した吸込み口を形成し、吸込み口は、燃焼器具の燃焼室の一次燃焼で生成された燃焼ガスを取込む。そして、直近の燃焼ガスは、燃焼筒内を、煙突（煙突部位）の吸引力の働きで、スムースに上昇するとともに、燃焼筒に形成した第４開口からの、高温で、かつ軽くなった燃焼ガスとにより、自然現象により、二次燃焼する燃焼器具の提供である（略完全燃焼、即ち、無煙化した燃焼ガスの生成である）。
【０００９】
請求項１の特徴は、燃焼室による一次燃焼で燃焼ガスを生成し、この燃焼ガスを燃焼筒の上方において、高温の燃焼ガスとの合流で二次燃焼し略完全燃焼する。従って、燃焼筒、及び／又は、煙突からの燃焼ガス（燃焼空気）を室外に提供できる。また、完全燃焼した燃焼ガスは、煙突より放散される。完全燃焼を介して、薪、廃材等の全てのものを燃焼させることができる。また、前記の流れにより、炎、未燃焼ガス、又は排気等のスムースな流れを確保できる。
【００１０】
請求項２の発明は、燃焼筒が第１開口において回転自在し、空気取込み量、及び／又は、高温の燃焼ガス取込み量の調整可能としたことを特徴とする燃焼器具である。
【００１１】
請求項２の特徴は、請求項１の特徴と、燃焼筒への燃焼ガス、及び／又は、空気の取り込みの効率化と、完全燃焼に役立つこと等の特徴がある。
【００１２】
請求項３の発明は、排気口に設けた燃焼筒の絞込み円筒部、又は燃焼筒に設けた煙突と、第１開口との間に、第５開口を形成することを特徴とした燃焼器具である。
【００１３】
請求項３の特徴は、請求項１の特徴と、燃焼室内、又は燃焼筒内での燃焼効率と、スムースな燃焼とが図れる特徴がある。
【００１４】
請求項４の発明は、何れかの面は、燃焼器本体の上面とする燃焼器である。
【００１５】
請求項４の特徴は、請求項１の特徴と、燃焼器本体（燃焼室）への外気の吸込と、燃焼ガスの排気とを確実に行えることと、燃焼器の小型化に寄与できる特徴がある。
【００１６】
請求項５の発明は、何れかの面は、燃焼器本体の壁面であって、壁面の上部に第１吸気口を設ける燃焼器具である。
【００１７】
請求項５の特徴は、請求項１の特徴と、燃焼器本体（燃焼室）への外気の吸込みと、薪の挿入の簡便化が図れることと、燃焼器の小型化に寄与できる特徴がある。
【００１８】
請求項６の発明は、燃焼器本体は、ペール缶、一斗缶、又は地中の穴を利用する燃焼器である。
【００１９】
請求項６の特徴は、請求項１の特徴と、廃品の有効利用と、コストの低廉化に寄与できる特徴がある。
【図面の簡単な説明】
【００２０】
【図１−１】本発明の全体を示した一部欠截の俯瞰図、但し、煙突を、燃焼筒の一部に（必要により付設する）連繋した状態の図
【図１−２】図１−１の一例において、炎、燃焼ガス等の流れを説明する一部欠截の俯瞰図
【図２】図１−１を分解して示した俯瞰図
【図３−１】煙突、及び上面を取り出して示した俯瞰図
【図３−２】図３−１の状態より燃焼筒を回転した状態を示した俯瞰図
【図４−１】図１−１の平面図で、拡大図を含む
【図４−２】図４−１の状態より、上面が前に移動した平面図
【図４−３】図４−２の状態より、上面がさらに前に移動し、かつ後に第６開口を形成した平面図
【図５−１】燃焼器本体における空気の流れを示す概念俯瞰図
【図５−２】図５−１の概念仰視図
【図６】燃焼器具のその他の一例（使用例）を示した俯瞰図
【図７】燃焼器本体に地中の穴を利用した場合の使用例を示した俯瞰図
【図８】熱焼器本体の別の実施例を示した俯瞰図
【発明を実施するための形態】
【００２１】
以下、本発明の好ましい、一実施例を説明する。
【００２２】
１は直方体（一例であり限定されない。円柱体、角形、その他の形状を含む）の燃焼器本体（燃焼器）であり、図１〜図５−２の例では、燃焼器本体１は、周辺を囲繞する壁面１００（壁板）と、上方の上面１０１（天板）、下方の底面１０２（底板）とで構成する。そして、望ましくは、部材は、高熱燃焼を意図することから、耐熱性の金属とする。また、燃焼器本体１は、例えば、一斗缶が望ましく、かつ廃材を利用するが限定されない。尚、上面とは、上面１０１（燃焼器本体１）の上面である。燃焼器本体１の内部１ａは、燃焼室１０４である。また、上面１０１は、立上部１０１ａに切溝１０３を形成し、この切溝１０３を、壁面１００に被嵌する。この被嵌構造を利用して、燃焼器本体１（燃焼室１０４）の上面開放部とで第２開口１０５（第１吸込口）を形成する。この第２開口１０５は、燃焼室１０４の第１吸気口となり、外気等の空気を取込むことと、薪等の供給口を兼ねる。即ち、上面１０１の移動、例えば、後述する図４−１〜図４−３の如く、上面１０１の移動（開け閉め）で、例えば、第２開口１０５の広さの調整とか、図１において、前後Ｘ、Ｙ方向の開放面積の大小調整、又は一方側ｙのみの開放を選択する行為である。例えば、図４−１〜図４−３に示した一例がある。図４−１は、図１−１の平面図であり、上面１０１が、後Ｙにあり、第２開口１０５からのみの外気（空気）吸込となる。また、図４−２は、上面１０１が図４−１より前Ｘに移動したが、図４−１と同じように後Ｙにあり、第２開口１０５からのみの外気吸込となる。但し、第２開口１０５は狭くなり、外気吸込は、図４−１に比し、少なくなり、例えば、火力調整とか、薪Ｗの消耗を少なくできる。また図４−３は、上面１０１が図４−２の状態より、さらに前Ｘに移動し、かつ後Ｙに第６開口１０７を形成し、第２開口１０５と併せて、第６開口１０７からの外気吸込となる。これにより、燃焼室１０４に、略均等に外気を吸込み、かつ均等な燃焼が図れる。その他として、第２開口１０５の調整は、例えば、空気の吸込量と、後述する燃焼筒の第４開口との関係を変え得ること、また、高温の燃焼ガスの取り込み方向と、その取り込み量等を変え得ること、さらには、二次燃焼の状況を変え得ること、等が考えられる（他の構造でも同じと考えられる）。この第２開口１０５は、板材（図示せず）、やかん、調理機器等の機器とか、閉塞物を乗せることで、その開放面積を調整可能である。図８の如く、第２開口１０５は、燃焼器本体１（燃焼室１０４）の壁面１００に設ける構造も有り得る。図６等は、煙突３の開口部に五徳４とやかんとを載せた図であり、一例である。また、第２開口１０５（第１吸込口）は、薪等の供給口を兼ねる。尚、上面１０１は平板も有り得る。
【００２３】
そして、上面１０１に設けた第１開口１０６（排気口）は、この一例では、八角形端面形状とし、この第１開口１０６には燃焼筒２を吊下するが、この燃焼筒２の下端の第３開口２００は、燃焼器本体１の底面１０２より離間する（吸込み口となる）。したがって、燃焼器本体１で生成された燃焼ガスＡは、第３開口２００を通過し、抵抗を受けることなく、燃焼筒２の内部２０１に到る構造なっている。尚、燃焼筒２の上方（Ｚ方向）に膨出形成した環状膨らみ部２０３の上部は、上面１０１の上面より突出する。この環状膨らみ部２０３は、例えば、吊下げ用で、また、突出部は煙突３の支持用である。
【００２４】
この燃焼筒２の上方（燃焼器本体１の燃焼室１０４の上方の絞込み円筒部２ｂの下側）には、第４開口２０２を開設し、この第４開口２００は、燃焼器本体１で生成された後、燃焼室１０４を上昇した、高温の燃焼ガスＡ１（上面１０１に向かって上昇した燃焼ガス）を取入れ、この高温の燃焼ガスＡ１と、燃焼筒２の内部２０１を上昇した燃焼ガスＡと合流する混合燃焼ガスＡ２の燃焼（二次燃焼）が図れる特徴がある。この絞込み円筒部２ｂとは、例えば、燃焼筒２の蓋体１０１より上方になる箇所（部分）で、かつ煙突３を取付け得る箇所である。また、絞込み円筒部２ｂは煙突の働きがある。
【００２５】
図中３は煙突であり、燃焼筒２の絞込み円筒部２ｂに連結する。また、４は五徳を示す。
【００２６】
燃焼筒２は、その円筒部２ａを、上面１０１の第１開口１０６に回転自在に設ける構造であり、かつ上方に第４開口２０２を備える構造である。従って、前述の二次燃焼が図れる。また、回転自在であることを利用して、燃焼室１０４の何れかの箇所から、選択して、高温の燃焼ガスＡ１を取り込めること、及び／又は、その取り込み量を調整できる。尚、第４開口２０２は、例えば、燃焼筒２の全周面の１／２の広さとしてある。この燃焼筒２は、第１開口１０６内での嵌合位置を変更できる。例えば、燃焼筒２は、燃焼器具を設置した状態（例えば、水平状態）で、水平方向に回転できる。この回転を利用して、第４開口２０２の向く方向を自由に変更できる。また、この変更で、燃焼室１０４内の高温の燃焼ガスＡ１等のガスの取込み量（燃焼筒２内において、燃焼ガスＡと合流する高温の燃焼ガスＡ１の分量）の調整とか、第２開口１０５からの空気の取込み量を調整できる。また、併せて、第５開口１０８からの空気の取込み量をも調整できる。
【００２７】
また、第１開口１０６に燃焼筒２を差し込んだ際に、第１開口１０６と煙突３との間には第５開口１０８（燃焼筒２を差し込んだ際に形成される隙間）が形成される。第５開口１０８は、第２吸気口（第２吸込み口）となる。その他は、例えば、吸込んだ空気で、燃焼筒２の絞込み円筒部２ｂ、及び／又は、煙突３の高熱部の冷却に役立てる。また、第２吸気口として、燃焼機本体１の燃焼室１０４（室内）に、空気を吸込むことも可能である。
【００２８】
図７の例では、燃焼器本体１は、地中の穴１０００とする他の例の構造である。以下、原則として、燃焼器本体１には、穴１０００を含む。そして、この他の例において、その他の構造は、前述の図１〜図５−２の例と同じであり、この他の例では、燃焼状態と、その働き、並びに各燃焼ガス、及び／又は、空気等の流れとか、排気の関係等は、前記例に準ずる。
【００２９】
図１−１、図1−２を利用して、外気の吸込み、内部の空気の流れとか、燃焼ガスＡの流れ、即ち、燃焼器具の使用を説明すると、解放された第２開口１０５を利用し、燃焼器本体１の燃焼室１０４に、に薪Wを投入する。薪Wに着火する。燃焼室１０４において、薪Wが燃焼し、高温（高熱）の燃焼ガスＡ（第１燃焼ガス、高温の空気）が生成される。この燃焼ガスＡ（未燃焼ガスを含めて）は、底面１０２を迂回した後、燃焼筒２の方向に流れる（吸引される）。即ち、底面１０２を這うように流れた後に、スムースに、第３開口２００より燃焼筒２内に導かれた後に、燃焼筒２を上昇する。また、他の燃焼ガスＡは、燃焼筒２に発生する吸引力の影響を受けるとともに、その大部分は、第４開口２０２から燃焼筒２内に誘引される。
【００３０】
この誘引された燃焼ガスＡは、燃焼筒２内を上昇する。そして、その途中で、第4開口２０２と、第4開口２０２の背面側の上端の筒状部２ｃとの近傍に負圧現象が発生する。この負圧現象で、燃焼器本体１で生成された後、燃焼室１０４を上昇した高温の燃焼ガスＡ１を取入れる。従って、この高温の燃焼ガスＡ１と、燃焼筒２の内部２０１を上昇した燃焼ガスＡとによる混合燃焼ガスＡ２の燃焼（二次燃焼）が図れる。この二次燃焼で、無煙化した燃焼ガスＡ３は、煙突３から屋外に放出される。
【００３１】
そして、図面において、図１−２、図５−１等において、燃焼ガスＡとか、高温の燃焼ガスＡ１とかの流れを矢視で示す。
【００３２】
上面１０１、五徳４は、鍋、釜、やかん等の載置用とか、食品の温め・調理に利用する。
【００３３】
本発明の特徴は、原則として、燃焼器本体１となる一斗缶、ペール缶、ドラム缶、又は地中の穴が、密閉状態であること基本的な特徴であるが、必要により、燃焼器本体１の周面壁面に開閉式の吸気口を設けることも有り得る。
【００３４】
以上で説明した各実施例は、好ましい一例を示したものであり、同様な効果と特徴を有する他の構造、手段は、本発明の範疇である。
【符号の説明】
【００３５】
１  燃焼器本体（燃焼器、又は穴）
１００  壁面（壁板）
１０１  上面（天板）
１０１ａ  立上部
１０２  底面（底板）
１０３  切溝
１０４  燃焼室（燃焼器本体の内部１ａ）
１０５  第２開口(第１吸気口)
１０６  第１開口(排気口)
１０７  第６開口
１０８  第５開口
１０００  地中の穴
２  燃焼筒
２００  第３開口
２０１  内部
２０２  第４開口
２０３  膨らみ部
２ａ  円筒部
２ｂ  絞込み円筒部
２ｃ  筒状部
３  煙突
４  五徳
Ａ  燃焼ガス
Ａ１  高温の燃焼ガス
Ａ２  混合燃焼ガス
Ａ３  無煙化した燃焼ガス
Ｘ  前
Ｙ  後
ｙ  一方側
Ｚ  方向
Ｗ  薪
【図１−１】
2019039568.tif 000003
【図１−２】
2019039568.tif 000004
【図２】
2019039568.tif 000005
【図３−１】
2019039568.tif 000006
【図３−２】
2019039568.tif 000007
【図４−１】
2019039568.tif 000008
【図４−２】
2019039568.tif 000009
【図４−３】
2019039568.tif 000010
【図５−１】
2019039568.tif 000011
【図５−２】
2019039568.tif 000012
【図６】
2019039568.tif 000013
【図７】
2019039568.tif 000014
【図８】
2019039568.tif 000015